(57)【要約】【課題】所定のコンテンツへと遷移可能な動画像の準備にかかる手間を削減すること。【解決手段】本願に係る生成装置は、複数の第１コンテンツを取得する取得部と、前記取得部によって取得された第１コンテンツを用いて、利用者から選択された場合に前記複数のコンテンツのいずれかに対応する所定の第２コンテンツへと遷移可能な動画像を生成する生成部とを有することを特徴とする。このため、例えば、情報生成装置１０は、所定のコンテンツへと遷移可能な動画像の準備にかかる手間を削減できる。【選択図】図１
2017130033.tif 000002
【特許請求の範囲】
【請求項１】
複数の第１コンテンツを取得する取得部と、
前記取得部によって取得された第１コンテンツを用いて、利用者から選択された場合に前記複数のコンテンツのいずれかに対応する所定の第２コンテンツへと遷移可能な動画像を生成する生成部と
を有することを特徴とする生成装置。
【請求項２】
前記生成部は、前記動画像として、前記複数の第１コンテンツのうち前記利用者によって選択された際の再生位置に応じた第１コンテンツと対応する第２コンテンツに遷移可能な動画像を生成する
ことを特徴とする請求項１に記載の生成装置。
【請求項３】
前記生成部は、前記動画像として、前記複数の第１コンテンツに対応する第２コンテンツのそれぞれを示す再生領域を含む動画像であって、前記利用者から選択された場合に、選択された際の再生位置を含む再生領域が示す第２コンテンツへと遷移可能な動画像を生成する
ことを特徴とする請求項２に記載の生成装置。
【請求項４】
前記生成部は、前記動画像として、前記利用者から選択された再生位置を含む再生領域の生成に用いられた第１コンテンツに対応する第２コンテンツへと遷移可能な動画像を生成する
ことを特徴とする請求項１〜３のうちいずれか１つに記載の生成装置。
【請求項５】
前記取得部は、複数の第２コンテンツを示す集合コンテンツの指定を受付けると、当該集合コンテンツが示す各第２コンテンツから前記第１コンテンツを取得する
ことを特徴とする請求項１〜４のうちいずれか１つに記載の生成装置。
【請求項６】
前記取得部は、第２コンテンツを示す複数の第１コンテンツが配置された集合コンテンツの指定を受付けると、当該集合コンテンツから前記複数の第１コンテンツを取得する
ことを特徴とする請求項１〜５のうちいずれか１つに記載の生成装置。
【請求項７】
前記取得部は、前記集合コンテンツとして、各第２コンテンツへのリンクが設定されたテキスト、静止画像および動画像の少なくともいずれか１つが配置された集合コンテンツを受付ける
ことを特徴とする請求項５または６に記載の生成装置。
【請求項８】
前記生成部は、前記動画像として、前記集合コンテンツへと遷移可能な動画像を生成する
ことを特徴とする請求項５〜７のうちいずれか１つに記載の生成装置。
【請求項９】
前記取得部は、前記第１コンテンツとして、前記第２コンテンツを示す画像またはテキストの少なくともいずれか１つを取得する
ことを特徴とする請求項１〜８のうちいずれか１つに記載の生成装置。
【請求項１０】
前記生成部は、前記動画像として、前記複数の第１コンテンツと対応する第２コンテンツを広告する内容の動画像を生成する
ことを特徴とする請求項１〜９のうちいずれか１つに記載の生成装置。
【請求項１１】
前記生成部によって生成された動画像の配信先に対し、前記利用者によって当該動画像が選択された際の再生位置の履歴に応じた再生位置から当該動画像の再生を開始するよう指示する指示部
を有することを特徴とする請求項１〜１０のうちいずれか１つに記載の生成装置。
【請求項１２】
生成装置が実行する生成方法であって、
複数の第１コンテンツを取得する取得工程と、
前記取得工程によって取得された第１コンテンツを用いて、利用者から選択された場合に前記複数の第１コンテンツのいずれかに対応する所定の第２コンテンツへと遷移可能な動画像を生成する生成工程と
を含むことを特徴とする生成方法。
【請求項１３】
コンピュータに、
複数の第１コンテンツを取得する取得手順と、
前記取得手順によって取得された第１コンテンツを用いて、利用者から選択された場合に前記複数の第１コンテンツのいずれかに対応する所定の第２コンテンツへと遷移可能な動画像を生成する生成手順と
を実行させることを特徴とする生成プログラム。
【発明の詳細な説明】
【技術分野】
【０００１】
本発明は、生成装置、生成方法及び生成プログラムに関する。
【背景技術】
【０００２】
近年、インターネットを介した情報配信が盛んに行われている。このような情報配信の一例として、企業や商品等に関する動画像を利用者に閲覧させ、動画像の内容に興味を持った利用者が動画像を選択した場合には、動画像と対応付けられた企業や商品等に関連するウェブページ等の所定のコンテンツを配信する技術が知られている。
【先行技術文献】
【特許文献】
【０００３】
【特許文献１】特開２０１０−０９８７３０号公報
【特許文献２】特開２０１１−２５９１８４号公報
【発明の概要】
【発明が解決しようとする課題】
【０００４】
しかしながら、上記の従来技術では、利用者から選択された際に所定のコンテンツへと遷移可能な動画像を準備する手間がかかるという問題がある。
【０００５】
本願は、上記に鑑みてなされたものであって、所定のコンテンツへと遷移可能な動画像の準備にかかる手間を削減することを目的とする。
【課題を解決するための手段】
【０００６】
本願に係る生成装置は、複数の第１コンテンツを取得する取得部と、前記取得部によって取得された第１コンテンツを用いて、利用者から選択された場合に前記複数のコンテンツのいずれかに対応する所定の第２コンテンツへと遷移可能な動画像を生成する生成部とを有することを特徴とする。
【発明の効果】
【０００７】
実施形態の一態様によれば、所定のコンテンツへと遷移可能な動画像の準備にかかる手間を削減できるという効果を奏する。
【図面の簡単な説明】
【０００８】
【図１】図１は、実施形態に係る情報生成装置が実行する処理の一例を示す図である。
【図２】図２は、実施形態に係る情報生成装置が有する機能構成の一例を示す図である。
【図３】図３は、実施形態に係る生成態様データベースに登録される情報の一例を示す図である。
【図４】図４は、実施形態に係る情報生成装置が生成する動画像の一例を示す図である。
【図５】図５は、実施形態に係る情報生成装置が生成する動画像に設定されるリンクの一例を示す図である。
【図６】図６は、実施形態に係る情報生成装置による生成処理の一例を示すフローチャートである。
【図７】図７は、ハードウェア構成の一例を示す図である。
【発明を実施するための形態】
【０００９】
以下に、本願に係る生成装置、生成方法及び生成プログラムを実施するための形態（以下、「実施形態」と呼ぶ。）について図面を参照しつつ詳細に説明する。なお、この実施形態により本願に係る生成装置、生成方法及び生成プログラムが限定されるものではない。また、以下の各実施形態において同一の部位には同一の符号を付し、重複する説明は省略される。
【００１０】
〔１．情報生成装置の一例〕
まず、図１を用いて、生成装置の一例である情報生成装置１０の一例について説明する。図１は、実施形態に係る情報生成装置が実行する処理の一例を示す図である。図１では、情報生成装置１０が実行する処理の一例として、クライアントによって指定された複数のコンテンツを広告する動画像を生成する処理の一例について説明する。なお、情報生成装置１０は、コンテンツを広告する動画像以外にも、任意の動画像を生成する処理について、以下に説明する生成処理を適用可能である。
【００１１】
また、以下に説明する情報生成装置１０は、営利若しくは非営利の広告だけではなく、ボランティアの募集、公共広告、公共に対する通知に関する動画像を生成してもよい。また、クライアントによって指定されるコンテンツは、商品や役務の販売、宣伝、通知等を行うウェブページのみならず、ゲーム等の任意のコンテンツが適用可能である。また、コンテンツは、ウェブページ、静止画像、動画像、文字、図形、記号、ハイパーリンク、その他任意の情報を含むコンテンツを適用可能である。すなわち、利用者に対して興味を生じさせようとするコンテンツであれば、クライアントは、ウェブページ、ゲーム、メール、ツイート、ブログの記事等任意のコンテンツを指定可能である。なお、以下の説明では、旅行の申し込みや販売等を行うウェブページがコンテンツとして指定される例について説明する。
【００１２】
図１に示す情報生成装置１０は、図示しないネットワーク（例えば、インターネット）を介して、利用者Ｕ０１が使用する端末装置１００と、クライアントが使用するクライアント端末２００と通信可能に接続され、生成した動画像を端末装置１００に配信する。なお、情報生成装置１０が動画像を配信する端末装置１００や、クライアント端末２００の数は、図１に示した例に限るものではない。すなわち、情報生成装置１０は、任意の数の端末装置１００およびクライアント端末２００と通信可能である。
【００１３】
端末装置１００は、利用者によって利用される情報処理装置であり、利用者がニュースやコラム等のコンテンツを閲覧するために利用される。具体例を挙げると、端末装置１００は、スマートフォンやタブレット端末やＰＤＡ（Personal  Digital  Assistant）等の移動端末や、デスクトップ型ＰＣ（Personal  Computer）や、ノート型ＰＣ等である。
【００１４】
クライアント端末２００は、配信対象となる動画像の生成を情報生成装置１０に指示する端末装置である。例えば、クライアント端末２００は、テキスト、画像、動画像、ウェブページ等といった任意のコンテンツの生成、編集、配信等を行うクライアントが使用する情報処理装置であり、ＰＤＡ等の移動端末や、ＰＣ、サーバ等である。
【００１５】
情報生成装置１０は、以下に説明する生成処理を実行することで、動画像の生成を行い、生成した動画像を端末装置１００へと配信する情報処理装置である。例えば、情報生成装置１０は、ＰＣ、サーバ、クラウドシステム等の物理的若しくは仮想的な情報処理装置により実現される。
【００１６】
〔１−１．生成処理〕
ここで、企業や商品、役務等の広告に関する動画像を利用者に閲覧させるとともに、利用者が動画像を選択した場合には、広告対象となる企業や商品、役務の説明や販売を行うウェブページを表示させる技術が考えられる。しかしながら、このような動画像を生成するのは、手間がかかる。
【００１７】
そこで、情報生成装置１０は、以下の生成処理を実行する。まず、情報生成装置１０は、クライアントから複数のウェブページの指定を受け付ける。このような場合、情報生成装置１０は、指定されたウェブページを示す複数の画像やテキスト等のコンテンツを取得する。そして、情報生成装置１０は、取得したコンテンツを用いて、利用者から選択された場合に、取得したコンテンツの少なくともいずれかに対応する所定のコンテンツ（例えば、ウェブページ）へと遷移可能な動画像を生成する。
【００１８】
例えば、クライアントは、商品や役務等の販売対象ごとに、販売や説明、購入の申し込み等を受け付けるウェブページを生成するとともに、各ウェブページへのリンクが設定されたウェブページ（以下、集合ページと記載する。）を生成する場合がある。より具体的には、クライアントは、セールの対象となる販売対象や、季節にあった販売対象等、利用者に提示したい販売対象を特集する集合ページを生成する場合がある。このような特集ページには、各販売対象を示す画像やテキストと共に、各販売対象に対応するウェブページへのリンクが設定される。
【００１９】
そこで、情報生成装置１０は、クライアントから集合ページの指定を受け付けると、集合ページからリンクが設定されたウェブページの販売対象を示す画像やテキスト等といったコンテンツを取得する。例えば、情報生成装置１０は、集合ページに配置された画像やテキストを、各販売対象を示すコンテンツとして取得する。また、例えば、情報生成装置１０は、集合ページからリンクが設定されている各ウェブページに配置された画像やテキストを、各販売対象を示すコンテンツとして取得する。そして、情報生成装置１０は、取得したコンテンツを用いて、動画像を生成する。なお、コンテンツを用いて動画像を生成する処理の具体的な内容については、後述する。
【００２０】
また、情報生成装置１０は、生成した動画像に対して、集合ページや各販売対象に対応するウェブページへのリンクを設定する。例えば、情報生成装置１０は、生成した動画像のうち、ある販売対象を示すコンテンツを用いて生成した再生範囲に、そのコンテンツが示す販売対象の説明や販売、申込み等を行うウェブページ（以下、販売対象に対応するウェブページと記載する。）へのリンクを設定する。そして、情報生成装置１０は、各販売対象に対応するウェブページへのリンクを設定した動画像を、端末装置１００へと配信する。
【００２１】
〔１−２．動画像の生成について〕
ここで、情報生成装置１０は、取得したコンテンツを用いて任意の態様の動画像を生成可能である。このような動画像の生成については、任意の生成技術を適用してよい。例えば、情報生成装置１０は、ある販売対象を示す画像を徐々に拡大または縮小するとともに、その販売対象を示すテキストを重畳して表示することで、その販売対象を示す動画像、すなわち、その販売対象を広告する動画像を生成してよい。
【００２２】
また、情報生成装置１０は、コンテンツの拡縮のみならず、コンテンツの移動、コンテンツの透過度、彩度、色彩、色相の変更、表示タイミングなど、コンテンツの表示態様を徐々に変更することで、動画像の生成を行ってもよい。また、情報生成装置１０は、コンテンツの点滅といった任意のエフェクトを採用してもよく、集中線や吹き出しなどといったエフェクト、すなわち、取得したコンテンツ以外のコンテンツを用いたエフェクトを採用してもよい。
【００２３】
また、情報生成装置１０は、音声を含む動画像の生成を行ってもよい。例えば、情報生成装置１０は、画像の拡大とともに所定の音声が再生され、テキストの表示とともに所定の音声エフェクトが再生されるといった動画像の生成を行ってもよい。なお、情報生成装置１０は、クライアントによって指定された態様や、クライアントによって指定された再生時間の動画像を生成してもよい。すなわち、情報生成装置１０は、任意の態様で動画像の生成を行ってもよい。
【００２４】
〔１−３．取得するコンテンツについて〕
また、情報生成装置１０は、販売対象を示すコンテンツであれば、任意の画像やテキストを取得してよい。例えば、集合ページＣ１０に配置された画像は、販売対象を示す画像であると予測される。そこで、情報生成装置１０は、集合ページＣ１０に配置された画像のうち、あるウェブページへのリンクが設定された画像を、そのウェブページと対応する販売対象を示す画像として取得してもよい。
【００２５】
また、販売対象に対応するウェブページに配置された画像のうち、最も閲覧されやすい位置に配置された画像や、価格の表示または購入ボタンの横に配置された画像などは、販売対象を的確に示す画像であると予測される。そこで、情報生成装置１０は、あるウェブページに配置された画像のうち、最も閲覧されやすい位置の画像や、価格または購入ボタンの近傍に配置された画像を、そのウェブページに対応する販売対象を示す画像として取得してもよい。また、電子商店街などのウェブページでは、販売対象の画像が所定のレイアウトに従って配置されていると予測される。そこで、情報生成装置１０は、所定の位置に配置された画像や所定のタグが設定された画像を販売対象を示す画像として取得してもよい。
【００２６】
また、情報生成装置１０は、販売対象に対応するウェブページに配置されたテキストのうち、所定の位置に配置されたテキストや、ウェブページのタイトルに含まれるテキストを取得してもよい。例えば、情報生成装置１０は、ウェブページに配置されたテキストやウェブページのタイトルなどから、形態素解析などといった任意の文章解析技術を用いて、販売対象の名称、販売対象の説明、販売対象の価格などといった販売対象に関するテキストを抽出し、抽出したテキストを販売対象を示すコンテンツとして取得してもよい。また、情報生成装置１０は、所定のタグが設定されたテキストや、所定の位置に配置されたテキストを販売対象を示すコンテンツとして取得してもよい。
【００２７】
また、ウェブページＷ０１〜Ｗ０４や集合ページＣ１０には、販売対象の価格や内容を示すテキストが配置された画像が含まれる場合がある。そこで、情報生成装置１０は、任意の画像解析技術を用いて、販売対象の価格や内容を示すテキストをウェブページＷ０１〜Ｗ０４や集合ページＣ１０に配置された画像から抽出し、抽出したテキストを販売対象を示すコンテンツとして取得してもよい。また、情報生成装置１０は、抽出したテキストから販売対象を示すテキストを新たに生成し、生成したテキストを販売対象を示すコンテンツとして取得してもよい。
【００２８】
このように、情報生成装置１０は、任意の技術を用いて、集合ページＣ１０が示す複数の販売対象を示すコンテンツを取得してよい。このような販売対象を示すコンテンツの取得については、上述した処理以外にも、任意の技術を適用することができる。
【００２９】
〔１−４．動画像の配信について〕
ここで、情報生成装置１０が生成した動画像は、任意の態様で端末装置１００に配信される。例えば、端末装置１００は、図示を省略したコンテンツ配信サーバ等から、動画像の取得指示を含むウェブページの配信を受け付ける。このような場合、端末装置１００は、情報生成装置１０に対して動画像の取得要求を送信する。すると、情報生成装置１０は、生成した動画像を端末装置１００に対して配信する。この結果、端末装置１００は、配信を受け付けたウェブページのうち、所定の表示領域に動画像を配置して表示するとともに、動画像の再生を開始する。なお、端末装置１００は、ウェブページに動画像を重畳して再生してもよい。
【００３０】
また、情報生成装置１０は、集合ページの配信を受け付けた端末装置１００に対して、その集合ページに対応する販売対象を示すコンテンツから生成された動画像の配信を行ってもよい。すなわち、情報生成装置１０は、動画像が広告対象とする販売対象に関連するウェブページを表示する端末装置１００に対し、その動画像の配信を行ってもよい。
【００３１】
また、情報生成装置１０は、動画像が広告対象とする販売対象に基づくマッチングを行ってもよい。例えば、情報生成装置１０は、生成した各動画像が広告対象とする販売対象、もしくはその販売対象に対して興味を有すると推定される利用者の属性等をタグとして動画像に対応付ける。そして、情報生成装置１０は、動画像の配信先となる端末装置１００の利用者の属性と対応付けられた動画像を配信してもよい。すなわち、情報生成装置１０は、端末装置１００を使用する利用者の属性や、端末装置１００が表示するウェブページに基づいて、利用者が興味を有すると推定される販売対象を特定し、特定した販売対象を広告対象とする動画像を配信対象として選択してもよい。また、情報生成装置１０は、利用者が興味を有すると推定される販売対象を広告対象とする動画像を配信対象として選択できるのであれば、任意の手法を用いて、配信対象となる動画像を選択してよい。
【００３２】
また、情報生成装置１０は、配信した動画像のうち、利用者が選択した再生位置の履歴に基づいた再生位置から、動画像の再生を開始するように、端末装置１００に指示を行ってもよい。例えば、情報生成装置１０は、集合ページが示す複数の販売対象について動画像を生成する際、販売対象ごとに動画像を生成し、生成した動画像を結合することで集合ページが示す複数の販売対象を広告する動画像を生成する。このような動画像を生成した場合、動画像は、再生領域ごとに異なる販売対象を広告する。このため、配信された動画像に利用者が興味を有すると推定される販売対象を広告する再生領域が含まれているにも関わらず、他の販売対象を広告する再生領域から再生が開始された場合には、利用者が動画像の再生を取りやめる場合がある。
【００３３】
そこで、情報生成装置１０は、利用者が興味を有すると推定される再生領域から再生を開始するよう指示してもよい。例えば、情報生成装置１０は、生成した動画像ごとに、利用者が選択を行った再生位置の履歴を収集する。また、情報生成装置１０は、配信対象となる動画像を選択した場合は、選択した動画像のうち、利用者が選択した再生位置の履歴に基づいて、最も人気がある販売対象を広告する再生領域を特定する。そして、情報生成装置１０は、選択した動画像を端末装置１００に配信するとともに、特定した再生領域の先頭から再生を開始するように、端末装置１００に指示してもよい。また、情報生成装置１０は、配信した動画像の末尾まで再生を行った場合には、続けて動画像の先頭から再生を行うように、端末装置１００に指示してもよい。
【００３４】
また、情報生成装置１０は、利用者の属性等に応じて、動画像が広告する販売対象のうち、利用者が興味を有すると推定される販売対象を特定し、特定した販売対象を広告する再生領域の先頭から再生を開始するように、端末装置１００に指示してもよい。このような処理の結果、情報生成装置１０は、動画像の選択機会を増やすことができる。
【００３５】
〔１−５．集合ページについて〕
なお、情報生成装置１０は、集合ページではなく、各販売対象に対応するウェブページの指定を受け付けてもよい。例えば、情報生成装置１０は、利用者から各販売対象に対応するウェブページの指定を受け付けた場合は、各ウェブページに含まれるコンテンツを取得し、取得したコンテンツを用いて、各ウェブページに対応する販売対象を広告する動画像を生成してもよい。すなわち、集合ページは、からなずしも生成される必要はない。また、集合ページは、公開される必要はなく、例えば、各ウェブページのＵＲＬ（Uniform  Resource  Locator）が記載されたテキストファイルであってもよく、各ウェブページへのリンクのみが設定されたウェブページであってもよい。また、集合ページは、その他任意のコンテンツであってもよい。
【００３６】
〔１−６．生成処理の一例〕
次に、図１を用いて、情報生成装置１０が実行する生成処理の一例について説明する。例えば、情報生成装置１０は、クライアント端末２００から複数の販売対象を示す集合ページの指定を受け付ける（ステップＳ１）。例えば、情報生成装置１０は、クライアント端末２００から集合ページのＵＲＬを受付ける。このような場合、情報生成装置１０は、集合ページから、各販売対象を広告する動画像の生成を行う（ステップＳ２）。
【００３７】
例えば、図１に示す例では、情報生成装置１０は、旅行の申し込みを受け付けるウェブページへのリンクが配置された集合ページＣ１０の指定を受け付ける。集合ページＣ１０には、旅行先や旅行プランごとに作成されたウェブページへのリンクが設定されたコンテンツＣ１１〜Ｃ１４、すなわち、複数の販売対象を示すコンテンツＣ１１〜Ｃ１４が配置されている。
【００３８】
より具体的には、コンテンツＣ１１には、「沖縄４日間！」等といった旅行先および旅行内容を示すテキストと共に、沖縄への旅行をイメージする画像が配置されている。また、コンテンツＣ１２には、「北海道５日間！」等といったテキストと共に、北海道への旅行をイメージする画像が配置されている。また、コンテンツＣ１３には、「イタリア９日間！」等といったテキストと共に、イタリアへの旅行をイメージする画像が配置されている。また、コンテンツＣ１４には、「フランス９日間！」等といったテキストと共に、フランスへの旅行をイメージする画像が配置されている。
【００３９】
このような集合ページＣ１０の指定を受け付けた場合、情報生成装置１０は、各コンテンツＣ１１〜Ｃ１４にリンクが設定されたウェブページＷ０１〜Ｗ０４を特定する。そして、情報生成装置１０は、各ウェブページＷ０１〜Ｗ０４に配置された画像やテキストを、各ウェブページＷ０１〜Ｗ０４に対応する販売対象を示すコンテンツＣ２１〜Ｃ２４として取得する。
【００４０】
例えば、図１に示す例では、コンテンツＣ１１に対してリンクが設定されたウェブページＷ０１には、沖縄への旅行をイメージする画像と共に、「沖縄４日間！」等といった旅行内容を示すテキスト、「ベストシーズン！！」等といった販売対象を広告するテキスト、料金を示す「御１人様３９，８００円！」等といったテキストが配置されている。そこで、情報生成装置１０は、ウェブページＷ０１から画像や各種のテキストを抽出し、抽出した画像や各種のテキストを、ウェブページＷ０１に対応する販売対象を示すコンテンツＣ２１として取得する。また、情報生成装置１０は、他のウェブページＷ０２〜Ｗ０４からも、各ウェブページＷ０２〜Ｗ０４に対応する販売対象を示すコンテンツＣ２２〜Ｃ２４を取得する。
【００４１】
そして、情報生成装置１０は、取得したコンテンツＣ２１〜Ｃ２４を用いて、集合ページＣ１０が示す販売対象、すなわち、各ウェブページＷ０１〜Ｗ０４と対応する販売対象を広告する動画像Ｍ１０を生成する。
【００４２】
例えば、情報生成装置１０は、コンテンツＣ２１を用いて、ウェブページＷ０１と対応する販売対象（すなわち、沖縄への旅行）を広告する動画像Ｍ０１を生成し、コンテンツＣ２２を用いて、ウェブページＷ０２と対応する販売対象（すなわち、北海道への旅行）を広告する動画像Ｍ０２を生成する。また、情報生成装置１０は、コンテンツＣ２３を用いて、ウェブページＷ０３と対応する販売対象（すなわち、イタリアへの旅行）を広告する動画像Ｍ０３を生成し、コンテンツＣ２４を用いて、ウェブページＷ０４と対応する販売対象（すなわち、フランスへの旅行）を広告する動画像Ｍ０４を生成する。そして、情報生成装置１０は、生成した各動画像Ｍ０１〜Ｍ０４を結合した動画像Ｍ１０を生成する。
【００４３】
続いて、情報生成装置１０は、生成した動画像Ｍ１０の各再生範囲に、集合ページＣ１０が示す各ウェブページＷ０１〜Ｗ０４へのリンクを設定する（ステップＳ３）。例えば、情報生成装置１０は、動画像Ｍ１０のうち、動画像Ｍ０１を含む再生範囲にウェブページＷ０１へのリンクを設定し、動画像Ｍ０２を含む再生範囲にウェブページＷ０２へのリンクを設定する。また、情報生成装置１０は、動画像Ｍ１０のうち、動画像Ｍ０３を含む再生範囲にウェブページＷ０３へのリンクを設定し、動画像Ｍ０４を含む再生範囲にウェブページＷ０４へのリンクを設定する。すなわち、情報生成装置１０は、動画像Ｍ１０のうち、ある販売対象を示すコンテンツから生成された再生範囲に対し、その販売対象に対応するウェブページへのリンクを設定する。
【００４４】
そして、情報生成装置１０は、端末装置１００から動画像Ｍ１０の配信要求を受け付けると（ステップＳ４）、リンクを設定した動画像Ｍ１０を端末装置１００に配信し（ステップＳ５）、再生させる。
【００４５】
このように、情報生成装置１０は、複数のコンテンツＣ２１〜Ｃ２４を取得し、取得したコンテンツＣ２１〜Ｃ２４を用いて、コンテンツＣ２１〜Ｃ２４の少なくともいずれかに対応するウェブページＷ０１〜Ｗ０４へと遷移可能な動画像を生成する。この結果、情報生成装置１０は、クライアントが動画像Ｍ１０を生成する手間を削減することができる。
【００４６】
〔２．情報生成装置の構成〕
次に、上述した実施形態にかかる情報生成装置１０の構成について説明する。図２は、実施形態に係る情報生成装置が有する機能構成の一例を示す図である。図２に示すように、情報生成装置１０は、通信部２０、記憶部３０、および制御部４０を有する。通信部２０は、例えば、ＮＩＣ（Network  Interface  Card）等によって実現される。そして、通信部２０は、ネットワークＮと有線または無線で接続され、端末装置１００やクライアント端末２００との間で情報の送受信を行う。
【００４７】
記憶部３０は、例えば、ＲＡＭ（Random  Access  Memory)、フラッシュメモリ（Flash  Memory）等の半導体メモリ素子、または、ハードディスク、光ディスク等の記憶装置によって実現される。また、記憶部３０は、生成態様データベース３１および動画像データベース３２を有する。
【００４８】
生成態様データベース３１は、販売対象を示すコンテンツから動画像を生成する際の生成態様を示す情報が登録されている。例えば、図３は、実施形態に係る生成態様データベースに登録される情報の一例を示す図である。図３に示す例では、生成態様データベース３１には、「生成態様ＩＤ（Identifier）」、「使用コンテンツ」、「使用コンテンツ数」、「生成内容」といった項目を有する情報が登録される。
【００４９】
ここで、「生成態様ＩＤ」とは、動画像を生成する際の生成態様を示す識別子である。また、「使用コンテンツ」とは、動画像を生成する際に使用するコンテンツを示す情報である。また、「使用コンテンツ数」とは、動画像を生成する際に使用するコンテンツの数を示す情報である。また、「生成内容」とは、取得したコンテンツを用いてどのような動画像を生成するかを示す情報である。
【００５０】
例えば、図３に示す例では、生成態様ＩＤ「生成態様＃１」が示す生成態様として、使用コンテンツ「テキスト」と使用コンテンツ数「５」、使用コンテンツ「静止画像」と使用コンテンツ「６」、使用コンテンツ「動画像」と使用コンテンツ数「０」とが対応付けて登録されている。また、生成態様ＩＤ「生成態様＃１」が示す生成態様として、生成内容「０：００〜０：１０／静止画像＃１：拡大、回転」、「０：１１〜０：１５／静止画像＃１：フェードアウト」等が登録されている。
【００５１】
例えば、情報生成装置１０は、クライアントが生成態様ＩＤ「生成態様＃１」が示す生成態様を選択した場合、販売対象を示すコンテンツとして５つのテキストと６つの静止画像とを取得する。そして、情報生成装置１０は、再生期間が「０：００〜０：１０」の間、１つ目の静止画像を徐々に拡大しながら回転させ、再生期間が「０：１１〜０：１５」の間、その静止画像をフェードアウトさせるといった動画像を生成する。
【００５２】
なお、図３に示す生成態様は、あくまで一例であり、情報生成装置１０は、任意の態様で動画像を生成することができる。また、情報生成装置１０は、図３に示す生成態様以外にも、任意の態様の動画像を生成するための生成態様を記憶してよい。
【００５３】
図２に戻り、説明を続ける。動画像データベース３２には、生成処理によって生成された動画像が登録される。すなわち、動画像データベース３２には、販売対象を示すコンテンツから生成された動画像であって、販売対象に対応するウェブページへのリンクが設定された動画像が登録される。
【００５４】
制御部４０は、例えば、ＣＰＵ（Central  Processing  Unit）、ＭＰＵ（Micro  Processing  Unit）、ＡＳＩＣ（Application  Specific  Integrated  Circuit）やＦＰＧＡ（Field  Programmable  Gate  Array）等によって、情報生成装置１０内部の記憶装置に記憶されている各種プログラムがＲＡＭを作業領域として実行されることにより実現される。
【００５５】
図２に示すように、制御部４０は、受付部４１、取得部４２、生成部４３、配信部４４、および指示部４５を有し、以下に説明する情報処理の機能や作用を実現または実行する。なお、制御部４０の内部構成は、図２に示した構成に限られず、後述する情報処理を行う構成であれば他の構成であってもよい。
【００５６】
受付部４１は、販売対象に対応する複数のウェブページの指定を受付ける。例えば、受付部４１は、動画像の生成要求をクライアント端末２００から受付けると、生成態様データベース３１に登録された各生成態様の内容を示すウェブページをクライアント端末２００に送信する。より具体的な例を説明すると、受付部４１は、各生成態様で生成した動画像の一例を配置したウェブページをクライアント端末２００に送信する。そして、受付部４１は、複数の販売対象に対応する各ウェブページへのリンクが設定されたコンテンツを含む集合ページＣ１０のＵＲＬと、動画像を生成する際の生成態様との指定を受付ける。
【００５７】
取得部４２は、販売対象ごとに、販売対象を示すコンテンツを取得する。例えば、取得部４２は、受付部４１が集合ページＣ１０の指定を受付けると、集合ページＣ１０が示す各ウェブページ、すなわち、集合ページＣ１０からリンクが設定された各ウェブページから、販売対象に関連する画像、動画像、テキスト等といったコンテンツを、各販売対象を示すコンテンツとして取得する。また、取得部４２は、集合ページＣ１０に配置されたコンテンツを販売対象を示すコンテンツとして取得してもよい。
【００５８】
生成部４３は、取得部４２によって取得されたコンテンツを用いて、利用者から選択された場合に、取得されたコンテンツのいずれかに対応するウェブページへと遷移可能な動画像を生成する。例えば、生成部４３は、取得部４２が販売対象ごとに取得したコンテンツを用いて、生成態様データベース３１に登録された生成態様のうち、利用者が選択した生成態様の動画像を生成する。より具体的には、生成部４３は、販売対象ごとに取得されたコンテンツを用いて、販売対象を広告する動画像を販売対象ごとに生成し、生成した動画像を結合した動画像を生成する。
【００５９】
例えば、図４は、実施形態に係る情報生成装置が生成する動画像の一例を示す図である。なお、図４に示す例では、ウェブページＷ０１から取得されたコンテンツＣ２１を用いて、ウェブページＷ０１に対応する販売対象を広告する動画像Ｍ０１を生成する処理の一例について、第１状態から第４状態に分けて記載した。
【００６０】
例えば、情報生成装置１０は、ウェブページＷ０１に対応する販売対象を示すコンテンツとして、食品の画像、花の画像および３つのテキストをコンテンツＣ２１として取得する。このような場合、情報生成装置１０は、第１状態に示すように、食品の画像を画面中央に配置して表示し、第２状態に示すように、食品の画像を徐々に縮小しながら中心位置を移動させ、「ベストシーズン！！」等といったテキストを画面上部に配置して表示する動画像Ｍ０１を生成する。また、情報生成装置１０は、第３状態に示すように、花の画像を食品の画像と並べて配置して表示するとともに、第４状態に示すように、「沖縄４日間！」、「御１人様３９，８００円！」等といったテキストを配置して表示する動画像Ｍ０１を生成する。
【００６１】
また、生成部４３は、生成した動画像に対し、所定のウェブページへのリンクを設定する。具体的には、生成部４３は、複数のコンテンツＣ２１〜Ｃ２４に対応するウェブページＷ０１〜Ｗ０４のそれぞれを示す再生領域を含む動画像であって、利用者から選択された場合に、選択された際の再生位置を含む再生領域が示すウェブページＷ０１〜Ｗ０４へと遷移可能な動画像を生成する。
【００６２】
具体的には、生成部４３は、生成した動画像のうち、ある販売対象を示す再生範囲、すなわち、その販売対象と対応するウェブページから取得したコンテンツを用いて生成した再生範囲に対し、そのウェブページへのリンクを設定する。すなわち、生成部４３は、再生範囲毎に、その再生範囲が示す販売対象に対応するウェブページへのリンクを設定する。
【００６３】
例えば、図５は、実施形態に係る情報生成装置が生成する動画像に設定されるリンクの一例を示す図である。例えば、情報生成装置１０は、図５に示すように、コンテンツＣ１１〜Ｃ１４が配置された集合ページＣ１０の指定を受付ける。ここで、図５中（Ａ）に示すように、各コンテンツＣ１１〜Ｃ１４には、各コンテンツＣ１１〜Ｃ１４が示す販売対象に対応するウェブページＷ０１〜Ｗ０４へのリンクが設定されている。
【００６４】
このような集合ページＣ１０の指定を受付けた場合、情報生成装置１０は、図５中（Ｂ）に示すように、各コンテンツＣ１１〜Ｃ１４が示す販売対象、すなわち、各ウェブページＷ０１〜Ｗ０４に対応する販売対象を示す動画像Ｍ０１〜Ｍ０４を生成し、生成した動画像Ｍ０１〜Ｍ０４を任意の順番で結合した動画像Ｍ１０を生成する。そして、情報生成装置１０は、図５中（Ｃ）に示すように、集合ページＣ１０ではなく、各ウェブページＷ０１〜Ｗ０４へのリンクを動画像Ｍ１０に設定する。
【００６５】
より具体的には、情報生成装置１０は、動画像Ｍ０１を含む再生領域にウェブページＷ０１へのリンクを設定し、動画像Ｍ０２を含む再生領域にウェブページＷ０２へのリンクを設定する。また、情報生成装置１０は、動画像Ｍ０３を含む再生領域にウェブページＷ０３へのリンクを設定し、動画像Ｍ０４を含む再生領域にウェブページＷ０４へのリンクを設定する。
【００６６】
なお、生成部４３は、各ウェブページＷ０１〜Ｗ０４へのリンクを設定するのではなく、例えば、集合ページＣ１０に遷移するリンクを設定してもよい。このように、生成部４３は、複数の販売対象を広告する動画像Ｍ１０であって、選択された再生領域が示す販売対象に対応するウェブページＷ０１〜Ｗ０４へと遷移可能な動画像Ｍ１０を生成し、生成した動画像Ｍ１０を動画像データベース３２に登録する。
【００６７】
図２に戻り、説明を続ける。配信部４４は、動画像Ｍ１０の配信を行う。例えば、配信部４４は、端末装置１００から動画像の配信要求を受付けた場合には、任意のマッチング技術を用いて、動画像データベース３２に登録された動画像の中から配信対象とする動画像を選択する。そして、配信部４４は、選択した動画像を端末装置１００へと配信する。
【００６８】
指定部４５は、動画像Ｍ１０の配信先に対し、利用者によって動画像Ｍ１０が選択された際の再生位置の履歴に応じた再生位置から動画像Ｍ１０の再生を開始するよう指示する。例えば、指定部４５は、図示を省略したログサーバ等から、配信対象となる動画像Ｍ１０について、利用者が選択した再生位置の履歴を取得する。そして、指定部４５は、取得した再生位置の履歴に基づいて、動画像Ｍ１０が広告する販売対象のうち、最も人気がある販売対象を特定する。すなわち、指定部４５は、動画像Ｍ１０に含まれる動画像Ｍ０１〜Ｍ０４のうち、選択された回数が最も多い動画像Ｍ０１〜Ｍ０４を特定する。
【００６９】
そして、指定部４５は、特定した動画像Ｍ０１〜Ｍ０４の先頭から再生を開始するように、端末装置１００に指示する。この結果、端末装置１００は、動画像Ｍ１０の態様によらず、利用者によって選択されやすい再生位置から動画像Ｍ１０の再生を開始することができるので、動画像Ｍ１０が選択される機会を向上させることができる。
【００７０】
〔３．生成処理の手順〕
次に、図６を用いて、実施形態に係る情報生成装置１０が実行する生成処理の流れの一例について説明する。図６は、実施形態に係る情報生成装置による生成処理の一例を示すフローチャートである。例えば、情報生成装置１０は、クライアント端末２００から集合ページＣ１０の指定を受付けると（ステップＳ１０１）、集合ページＣ１０または集合ページＣ１０が示す各ウェブページＷ０１〜Ｗ０４から画像やテキスト等のコンテンツＣ２１〜Ｃ２４を取得する（ステップＳ１０２）。そして、情報生成装置１０は、取得したコンテンツＣ２１〜Ｃ２４を用いて、集合ページＣ１０に対応する動画像Ｍ１０を生成し（ステップＳ１０３）、動画像Ｍ１０のうち、各販売対象と対応する再生領域に、その販売対象に対応するウェブページＷ０１〜Ｗ０４へのリンクを設定し（ステップＳ１０４）、処理を終了する。
【００７１】
〔４．変形例〕
上述した実施形態に係る情報生成装置１０は、上記実施形態以外にも種々の異なる形態にて実施されてよい。そこで、以下では、上記の情報生成装置１０の他の実施形態について説明する。
【００７２】
〔４−１．動画像の表示態様について〕
上述した情報生成装置１０は、生成した動画像Ｍ１０を端末装置１００に配信した。ここで、端末装置１００は、情報生成装置１０による指定に基づく態様で動画像Ｍ１０の再生を行ってもよく、予め利用者により設定された態様で動画像Ｍ１０の再生を行ってもよい。例えば、端末装置１００は、動画像Ｍ１０に含まれる各動画像Ｍ０１〜Ｍ０４のうち、ランダムに選択された動画像の先頭から再生を開始してもよく、動画像Ｍ１０をループ再生してもよい。また、情報生成装置１０は、選択された再生位置の履歴に基づいて、配信した動画像Ｍ１０のうち、利用者が興味を有すると推定される販売対象を示す再生範囲を特定し、特定した再生範囲をループ再生するように指示してもよい。
【００７３】
また、端末装置１００は、ニュース等のコンテンツが配置されたタイルを複数並べた形式のウェブページを表示する場合がある。このようなウェブページを表示する際、端末装置１００は、タイルの一つとして動画像Ｍ１０を配置して表示してもよい。また、端末装置１００は、スクロール操作等により、動画像Ｍ１０の全体が画面内まで移動した場合には、動画像Ｍ１０の再生を開始してもよい。このように、情報生成装置１０や端末装置１００は、動画像Ｍ１０を任意の態様で再生してよい。
【００７４】
〔４−２．動画像の生成態様について〕
また、情報生成装置１０は、上述した生成処理以外にも、任意の態様で動画像Ｍ１０の生成を行ってよい。例えば、情報生成装置１０は、取得したコンテンツＣ２１〜Ｃ２４から、どのような態様で動画像Ｍ１０を生成するかといった生成態様の指定をクライアントから受付けてもよい。例えば、情報生成装置１０は、取得した画像の表示態様をどのように変更するか、どのようなテキストを表示するか、テキストをどのタイミングで表示するか等といった生成態様の指定を受付けてもよい。また、情報生成装置１０は、動画像Ｍ１０の生成に使用するコンテンツの指定をクライアントから受付けてもよい。
【００７５】
また、情報生成装置１０は、集合ページＣ１０やウェブページＷ０１〜Ｗ０４に含まれる画像やテキスト等のコンテンツに設定されたタグに基づいて、動画像Ｍ１０の生成に用いるコンテンツを選択してもよい。例えば、クライアントは、ウェブページＷ０１〜Ｗ０４や集合ページＣ１０に含まれる画像やテキストのうち、動画像Ｍ１０の生成に使用する画像やテキストに所定のタグを付与しておく。一方、情報生成装置１０は、集合ページＣ１０やウェブページＷ０１〜Ｗ０４の指定を受付けると、集合ページＣ１０やウェブページＷ０１〜Ｗ０４に含まれるコンテンツのうち、所定のタグが付与されたコンテンツを取得し、取得したコンテンツを用いて動画像Ｍ１０を生成して良い。
【００７６】
〔４−３．学習について〕
また、情報生成装置１０は、動画像Ｍ１０を配信した際に、利用者が動画像Ｍ１０を選択したか否か、利用者が動画像Ｍ１０を選択した再生位置、利用者が動画像Ｍ１０を閲覧したか否か等に基づいて、コンテンツＣ２１〜Ｃ２４から動画像Ｍ１０を生成する態様の学習を行ってもよい。例えば、情報生成装置１０は、コンテンツＣ２１〜Ｃ２４から所定の生成態様で生成した動画像Ｍ１０の再生回数やＣＴＲ（Click  Through  Rate）の値が所定の閾値を下回る場合には、他の生成態様で動画像Ｍ１０を再生成してもよい。
【００７７】
〔４−４．ターゲティングについて〕
ここで、情報生成装置１０は、任意のターゲティング技術を用いて、配信対象とする動画像Ｍ１０を選択してよい。例えば、情報生成装置１０は、収入、職業、学歴等のデモグラフィック属性や、ライフスタイルや利用者の好み等のサイコグラフィック属性等、利用者の属性に基づいて、利用者が選択する可能性が高い動画像Ｍ１０を選択してよい。
【００７８】
〔４−５．コンテンツについて〕
上述した説明では、情報生成装置１０は、静止画像やテキストを動画像Ｍ１０の生成に用いるコンテンツＣ２１〜Ｃ２４として取得した。しかしながら、実施形態は、これに限定されるものではない。例えば、情報生成装置１０は、集合ページＣ１０やウェブページＷ０１〜Ｗ０４に配置された動画像を、動画像Ｍ１０の生成に用いるコンテンツとして取得してもよい。
【００７９】
また、上述した例では、情報生成装置１０は、販売対象を示すコンテンツＣ２１〜Ｃ２４を取得し、販売対象を広告する動画像Ｍ１０を生成した。しかしながら、実施形態は、これに限定されるものではない。例えば、情報生成装置１０は、ニュース、天気予報、ゲーム、ブログ等の内容を含むウェブページＷ０１〜Ｗ０４からコンテンツＣ２１〜Ｃ２４を取得し、取得したコンテンツＣ２１〜Ｃ２４を用いて、ウェブページＷ０１〜Ｗ０４の内容を利用者に提示する動画像Ｍ１０の生成を行ってもよい。
【００８０】
すなわち、情報生成装置１０は、広告動画以外にも、任意の内容の動画像Ｍ１０の生成を行ってよい。例えば、情報生成装置１０は、上述した例以外にも、複数のアーティストを紹介する動画像や、複数のニュース、天気予報、ゲーム等を紹介する動画像Ｍ１０の生成を行ってもよい。
【００８１】
〔４−６．リンクについて〕
また、上述した例では、情報生成装置１０は、販売対象に対応するウェブページＷ０１〜Ｗ０４へのリンクを設定した。しかしながら、実施形態は、これに限定されるものではない。例えば、情報生成装置１０は、販売対象に対応するコンテンツであれば、ウェブページＷ０１〜Ｗ０４のみならず、任意のコンテンツ（例えば、動画像等）へのリンクを背ってしてよい。
【００８２】
例えば、端末装置１００は、動画像Ｍ１０とともに動画像Ｍ１０を選択した際に表示する画像、動画像またはテキスト等といったコンテンツとをあらかじめ取得し、取得した動画像Ｍ１０を再生するとともに、動画像Ｍ１０が選択された際に対応するコンテンツを表示するといった処理を実行させるアプリケーションを実行する場合がある。そこで、情報生成装置１０は、動画像Ｍ１０として、選択された際に所定のコンテンツに遷移可能な動画像Ｍ１０を生成してもよい。すなわち、情報生成装置１０は、任意のコンテンツを取得し、取得したコンテンツを用いて、取得したコンテンツに対応する他のコンテンツへと遷移可能な動画像を生成するのであれば、任意のコンテンツを取得可能であるとともに、任意のコンテンツへと遷移可能な動画像を生成して良い。
【００８３】
〔４−７．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【００８４】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００８５】
例えば、上述した生成処理は、動画像を生成する生成装置と、動画像を配信する配信装置とが協調して動作することにより実現されてもよい。このような場合、図２に示した生成態様データベース３１、受付部４１、取得部４２および生成部４３は、生成装置側に配置され、動画像データベース３２、配信部４４および指示部４５は、配信装置側に配置されることとなる。
【００８６】
〔４−８．ハードウェア構成〕
また、上述してきた実施形態に係る端末装置１０は、例えば図７に示すような構成のコンピュータ１０００によって実現される。図７は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【００８７】
演算装置１０３０は、一次記憶装置１０４０や二次記憶装置１０５０に格納されたプログラムや入力装置１０２０から読み出したプログラム等に基づいて動作し、各種の処理を実行する。一時記憶装置１０４０は、ＲＡＭ等、演算装置１０３０が各種の演算に用いるデータを一次的に記憶するメモリ装置である。また、二次記憶装置１０５０は、演算装置１０３０が各種の演算に用いるデータや、各種のデータベースが登録される記憶装置であり、ＲＯＭ（Read  Only  Memory）、ＨＤＤ、フラッシュメモリ等により実現される。
【００８８】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【００８９】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【００９０】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【００９１】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【００９２】
例えば、コンピュータ１０００が情報生成装置１０として機能する場合、コンピュータ１０００の演算装置１０３０は、一次記憶装置１０４０上にロードされたプログラムを実行することにより、制御部４０の機能を実現する。また、二次記憶装置１０５０上には、記憶部３０内の情報、すなわち生成態様データベース３１および動画像データベース３２が格納される。
【００９３】
〔５．効果〕
上述したように、情報生成装置１０は、複数のコンテンツＣ２１〜Ｃ２４を取得し、取得されたコンテンツＣ２１〜Ｃ２４を用いて、利用者から選択された場合に複数のコンテンツＣ２１〜Ｃ２４のいずれかに対応する所定のコンテンツ（例えば、集合ページＣ１０やウェブページＷ０１〜Ｗ０４）へと遷移可能な動画像Ｍ１０を生成する。このため、情報生成装置１０は、動画像Ｍ１０の生成の手間を削減することができる。
【００９４】
また、情報生成装置１０は、動画像Ｍ１０として、複数のコンテンツＣ２１〜Ｃ２４のうち利用者によって選択された際の再生位置に応じたコンテンツＣ２１〜Ｃ２４と対応するウェブページＷ０１〜Ｗ０４等のコンテンツに遷移可能な動画像Ｍ１０を生成する。
【００９５】
例えば、情報生成装置１０は、動画像Ｍ１０として、複数のコンテンツＣ２１〜Ｃ２４に対応するウェブページＷ０１〜Ｗ０４のそれぞれを示す動画像Ｍ０１〜Ｍ０４を含む動画像Ｍ１０であって、利用者から選択された場合に、選択された際の再生位置を含む動画像Ｍ０１〜Ｍ０４が示すウェブページＷ０１〜Ｗ０４へと遷移可能な動画像Ｍ１０を生成する。
【００９６】
また、情報生成装置１０は、動画像Ｍ１０として、利用者から選択された再生位置を含む動画像Ｍ０１〜Ｍ０４の生成に用いられたコンテンツＣ２１〜Ｃ２４に対応するウェブページＷ０１〜Ｗ０４へと遷移可能な動画像Ｍ１０を生成する。
【００９７】
上述した各処理の結果、情報生成装置１０は、利用者が興味を有した販売対象に対応するウェブページＷ０１〜Ｗ０４等のコンテンツへと利用者を誘導可能な動画像Ｍ１０を生成することができる。
【００９８】
また、情報生成装置１０は、複数のウェブページＷ０１〜Ｗ０４を示す集合ページＣ１０の指定を受付けると、集合ページＣ１０が示す各ウェブページＷ０１〜Ｗ０４からコンテンツＣ２１〜Ｃ２４を取得する。また、他の例では、情報生成装置１０は、ウェブページＷ０１〜Ｗ０４を示す複数のコンテンツＣ２１〜Ｃ２４が配置された集合ページＣ１０の指定を受付けると、集合ページＣ１０から複数のコンテンツＣ２１〜Ｃ２４を取得する。このため、情報生成装置１０は、各ウェブページＷ０１〜Ｗ０４等のコンテンツに対応する販売対象を適切に示す動画像Ｍ１０を生成することができる。
【００９９】
また、情報生成装置１０は、集合ページＣ１０として、各コンテンツＣ２１〜Ｃ２４へのリンクが設定されたテキスト、静止画像および動画像の少なくともいずれか１つが配置された集合ページＣ１０を受付ける。このため、情報生成装置１０は、動画像Ｍ１０の生成に用いるコンテンツＣ２１〜Ｃ２４の指定を容易にすることができる。
【０１００】
また、情報生成装置１０は、動画像Ｍ１０として、集合ページＣ１０へと遷移可能な動画像Ｍ１０を生成する。このため、情報生成装置１０は、各販売対象を示す集合ページＣ１０に利用者を誘導可能な動画像Ｍ１０を生成することができる。
【０１０１】
また、情報生成装置１０は、コンテンツＣ２１〜Ｃ２４として、ウェブページＷ０１〜Ｗ０４を示す画像またはテキストの少なくともいずれか１つを取得する。このため、情報生成装置１０は、各販売対象を視覚的に示す動画像Ｍ１０を生成することができる。
【０１０２】
また、情報生成装置１０は、動画像Ｍ１０として、複数のコンテンツＣ２１〜Ｃ２４と対応するウェブページＷ０１〜Ｗ０４を広告する内容の動画像Ｍ１０を生成する。このため、情報生成装置１０は、各販売対象を広告する動画像Ｍ１０を生成することができる。
【０１０３】
また、情報生成装置１０は、生成された動画像Ｍ１０の配信先に対し、利用者によって動画像Ｍ１０が選択された際の再生位置の履歴に応じた再生位置から動画像Ｍ１０の再生を開始するよう指示する。このため、情報生成装置１０は、利用者が興味を有すると推定される販売対象に対応する再生領域から、動画像Ｍ１０の再生を開始することができるので、動画像Ｍ１０が選択される可能性を向上させることができる。
【０１０４】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１０５】
また、上記してきた「部（section、module、unit）」は、「手段」や「回路」などに読み替えることができる。例えば、配信部は、配信手段や配信回路に読み替えることができる。
【符号の説明】
【０１０６】
１０  情報生成装置
２０  通信部
３０  記憶部
３１  生成態様データベース
３２  動画像データベース
４０  制御部
４１  受付部
４２  取得部
４３  生成部
４４  配信部
４５  指示部
１００  端末装置
２００  クライアント端末
【図１】
2017130033.tif 000003
【図２】
2017130033.tif 000004
【図３】
2017130033.tif 000005
【図４】
2017130033.tif 000006
【図５】
2017130033.tif 000007
【図６】
2017130033.tif 000008
【図７】
2017130033.tif 000009